(57)【要約】      （修正有）【課題】クラッチボックスのボックス本体を蓋体で閉じた状態の維持、およびその解除を容易に行うことができると共に、ボックス本体を閉じ塞いだ形態がデザイン性に優れ、同じ構成で繰り返し使用することが可能なクラッチボックスを提供する。【解決手段】クラッチボックスＢ１は、開口部１９を有する箱体１０と、開口部１９を開閉可能な蓋体１１とを有するボックス本体と、相対向して設けられた保持板２１、２２を有し、蓋体１１を閉じた状態のボックス本体の表裏両面を保持板２１、２２で挟んで蓋体１１が開かないようにボックス本体に装着される保持体２とを備え、ボックス本体と保持体２は色を違えてあり、相互の色の明暗に調子がつけられている。【選択図】図２
2017047911.tif 000002
【特許請求の範囲】
【請求項１】
開口部を有する箱体と、前記開口部を開閉可能な蓋体とを有するボックス本体と、
相対向して設けられた保持部を有し、前記蓋体を閉じた状態の前記ボックス本体の表裏両面を前記保持部で挟んで蓋体が開かないように前記ボックス本体に装着される保持体とを備える
クラッチボックス。
【請求項２】
前記保持体の前記保持部が撓み性または準剛性を有する板体で形成され、互いに接続部で接続されており、前記保持部が前記ボックス本体の表裏両面間とほぼ同じ間隔をおいて互いに平行であるか、または先端側がその間隔より狭まるように傾斜している、
請求項１のクラッチボックス。
【請求項３】
前記保持体の前記保持部と前記接続部が撓み性または準剛性を有する紙製の板体で形成され、前記接続部に対する前記保持部の角度が直角となるように、または相対向する内角が互いに鋭角となるように形成されている、
請求項２のクラッチボックス。
【請求項４】
前記保持体の前記接続部と前記保持部の境界部の角度形成部に、断面形状がＶ字状、または略Ｖ字状の溝部を形成し、接着剤を入れた前記溝部で前記保持部を折り曲げて、前記溝部表面を接着して形成されている、
請求項３のクラッチボックス。
【請求項５】
前記接着剤が、固化後に所要程度の変形性と復元性、または伸縮性を有する特性を有するものである、
請求項４のクラッチボックス。
【請求項６】
前記保持体の前記接続部と前記保持部の境界部の角度形成部に、断面形状がＶ字状、または略Ｖ字状の溝部を形成し、該溝部で前記保持部を折り曲げて、折り曲げ部の外面側に断面Ｌ字状の補強材を接着剤で接着して形成されている、
請求項３のクラッチボックス。
【請求項７】
前記ボックス本体と前記保持体のうち、何れか一方または双方が他方と異なる色に着色され、相互の色の明暗に調子、または差がつけられている、
請求項１、２、３、４、５または６のクラッチボックス。
【請求項８】
ボックス本体を蓋体で閉じる工程と、
前記蓋体で閉じた状態を維持するように、相対向して設けた保持部がボックス本体の表裏両面を挟むようにして、保持体を装着する工程とを備える
クラッチボックスのボックス本体を閉じる方法。
【発明の詳細な説明】
【技術分野】
【０００１】
本発明は、クラッチボックスおよびクラッチボックスのボックス本体を閉じる方法に関するものである。更に詳しくは、クラッチボックスのボックス本体を蓋体で閉じた状態の維持、およびその解除を容易に行うことができると共に、ボックス本体を閉じ塞いだ形態がデザイン性に優れ、同じ構成で繰り返し使用することも可能なクラッチボックスおよびクラッチボックスのボックス本体を閉じる方法に関する。
【背景技術】
【０００２】
例えば菓子などの食品の包装容器として、箱形で把手がなく、手でつかむようにして取り扱う容器、いわゆるクラッチボックスが多く使用されている。クラッチボックスは、様々な材料で形成されるが、特に紙製のクラッチボックス、すなわち多種多様な質感や機能性を有するものが提供可能であると共に、様々な形状への成形・加工、あるいは表面へのプリントなどが比較的容易にできる、紙製のクラッチボックスが好まれている。
【０００３】
このような紙製のクラッチボックスは、これにより包装される商品などの内容物も様々であり、例えばプレゼント用の下着やマフラー、セーターなどの各種衣料品、または各種雑貨や小物などの他、特にボックスを水平にして取り扱うものとしては、非特許文献１に示されたような惣菜（デリカ）、あるいは上記したような菓子などの食品がある。
【０００４】
非特許文献１に示された箱容器は、内容物を収容する箱本体と、箱本体の開口部を塞ぐ蓋体を有している。そして、使用時には、箱本体に内容物である惣菜を詰めた後、開口部を塞ぐように蓋体を被せ、箱本体と蓋体にリボンを十字に掛けて締め付けて、蓋体を箱本体に固定するようにしている。また、このような包装形態は、上記したように惣菜以外の衣料品などの包装にも使用されている。
【先行技術文献】
【非特許文献】
【０００５】
【非特許文献１】[2015年8月12日検索]  折箱屋ホームページ、紙製折箱（デリカ）、(Y)紙重箱ET黒 5.5寸 本体6ケ仕切付＜URL:http://oribakoya.jp/products/detail.php?product_id=967＞
【発明の概要】
【発明が解決しようとする課題】
【０００６】
しかしながら、上記従来の箱容器には、次のような課題があった。
すなわち、箱本体の開口部を蓋体で閉じて、その状態を維持するために、リボンを使用しているので、特にリボンを結ぶ際には、リボンの掛け引きの方向を箱本体の縁と平行になるよう整えたり、リボンのループの形や大きさを揃えたり、あるいはリボンの張りを適正にしなければならないなど、相当な手間がかかり、ある程度の熟練を必要としていた。
【０００７】
また、箱本体にリボンを掛けた包装形態は、古くから一般にある形態であって、デザイン的には目新しさがなく、あまり見栄えもしない。
更に、一度結んだリボンは、解いた後も、結んでいた部分が折れ曲がったり捩れたりしているため、二回目以降は外観上見苦しくなるので使用しにくい。このため、リボンを繰り返し使用することは難しく、箱を再利用する場合は、その都度、別に新しいリボンを用意する必要があった。
【０００８】
本発明は、以上の点を鑑みて創案されたものであり、クラッチボックスのボックス本体を蓋体で閉じた状態の維持、およびその解除を容易に行うことができると共に、ボックス本体を閉じ塞いだ形態がデザイン性に優れ、同じ構成で繰り返し使用することも可能なクラッチボックスおよびクラッチボックスのボックス本体を閉じる方法を提供することを目的とするものである。
【課題を解決するための手段】
【０００９】
（１）上記の目的を達成するために本発明のクラッチボックスは、開口部を有する箱体と、前記開口部を開閉可能な蓋体とを有するボックス本体と、相対向して設けられた保持部を有し、前記蓋体を閉じた状態の前記ボックス本体の表裏両面を前記保持部で挟んで蓋体が開かないように前記ボックス本体に装着される保持体とを備える。
【００１０】
クラッチボックスを、例えば衣料品などの商品の包装体として使用する場合、蓋体を開けてボックス本体に商品を収容した後、蓋体を閉じる。そして、保持部をボックス本体の表裏両面に当て、保持部でそれを挟むようにして、保持体をボックス本体に装着する。これにより、ボックス本体が蓋体で閉じられた状態を、そのまま維持することができる。
【００１１】
また、ボックス本体から保持体をスライドさせるなどして取り外すだけで、ボックス本体を蓋体で閉じた状態を容易に解除することができ、その後は、蓋体によるボックス本体の開口部などの開閉が可能になる。更には、保持体をボックス本体に着脱する際、あるいは装着した状態を維持している間に、保持体に対して大きな力が作用するなどして変形してしまうようなこともなく、ボックス本体と保持体という同じ構成で繰り返し使用することが可能である。
【００１２】
（２）本発明のクラッチボックスは、前記保持体の前記保持部が撓み性または準剛性を有する板体で形成され、互いに接続部で接続されており、前記保持部が前記ボックス本体の表裏両面間とほぼ同じ間隔をおいて互いに平行であるか、または先端側がその間隔より狭まるように傾斜している構成を備える。
【００１３】
この場合、板体である保持部が撓み性または準剛性を有するので、例えばボックス本体の表裏両面に当たる際には、適当な反発力をもってボックス本体の表裏両面を保持することが可能である。特に、保持部の先端側が、平行な場合の間隔より狭まるように傾斜しているものの場合は、保持部による適正な保持力が維持されやすくなると共に、撓み性または準剛性が利かずに保持力が弱くなったり、ボックス本体と保持体の一方、または双方が、強すぎる保持力で傷付いてしまったりすることもない。
【００１４】
（３）本発明のクラッチボックスは、前記保持体の前記保持部と前記接続部が撓み性または準剛性を有する紙製の板体で形成され、前記接続部に対する前記保持部の角度が直角となるように、または相対向する内角が互いに鋭角となるように形成されている構成を備える。
【００１５】
この場合、ボックス本体の表裏両面に当たる際には、適当な反発力をもってボックス本体の表裏両面を保持することが可能であるなど、上記（２）の構成による作用を備えることはもとより、板体が紙製であることによって、例えば触れたときの肌触りがよいとか、温もりがあるとか、あるいは見た目が素朴で癒やされるなど、紙の独特の質感が付与されることが期待できる。
【００１６】
（４）本発明のクラッチボックスは、前記保持体の前記接続部と前記保持部の境界部の角度形成部に、断面形状がＶ字状、または略Ｖ字状の溝部を形成し、接着剤を入れた前記溝部で前記保持部を折り曲げて、前記溝部表面を接着して形成されている構成を備える。
【００１７】
この場合、断面形状がＶ字状、または略Ｖ字状の溝部を形成する際、Ｖ字状の内面を合わせたときに、保持部が接続部に対し直角となるように、または保持部の基部側の相対向する内角が互いに鋭角となるように形成しておけば、溝部に適量の接着剤を入れて、溝部の内面同士を接着するように保持部を折り曲げ、養生して接着剤を固化させることにより、保持部が上記角度に形成された保持体を容易に作製することができる。
【００１８】
また、保持体を形成する紙素材は、通常、若干の浸潤性も有しているので、溝部に接着剤を入れることにより、溝部の表面から、接着剤が浸潤し、固化後は、折り曲げた部分の角部およびその近傍に充分な強度を付与することができる。これにより、保持部などが撓み性または準剛性を有する場合においては、その素材の特性を充分に活かしたボックス本体の保持が可能になる。
【００１９】
（５）本発明のクラッチボックスは、前記接着剤が、固化後に所要程度の変形性と復元性、または伸縮性を有する特性を有する構成を備える。
【００２０】
この場合、接続部に対する保持部の角度を所要角度で維持している接着剤が、固化後にも硬質とはならず、所要程度の変形性と復元性、または伸縮性を有する。
したがって、ボックス本体に対し保持体の着脱を繰り返しても、特に保持部の基部側（接着剤の近傍）に、変形を繰り返すことによる疲労で傷みが生じることを防止することができる。また、保持部が撓み性または準剛性を有する場合においては、その素材の特性とも相まって、ボックス本体の適正な保持力での保持、およびその維持が可能になる。
【００２１】
（６）本発明のクラッチボックスは、前記保持体の前記接続部と前記保持部の境界部の角度形成部に、断面形状がＶ字状、または略Ｖ字状の溝部を形成し、該溝部で前記保持部を折り曲げて、折り曲げ部の外面側に断面Ｌ字状の補強材を接着剤で接着して形成されている構成を備える。
【００２２】
この場合、断面形状がＶ字状、または略Ｖ字状の溝部を形成する際、Ｖ字状の内面を合わせたときに、保持部が接続部に対し直角となるように、または保持部の基部側の相対向する内角が互いに鋭角となるように形成しておけば、溝部の内面同士を当接するように保持部を折り曲げ、保持部を上記角度に設定した後、その角度を維持するように、折り曲げ部の外面側に角部を合わせて補強材を接着することにより、保持部の角度が所要の角度に設定された保持体を容易に作製することができる。
【００２３】
また、補強材は、いわゆるアングル（山形鋼）状であり、接続部と保持部の間の各角部を比較的広い範囲で固定できるので、角部およびその近傍に充分な強度を付与することができる。これにより、保持部などが撓み性または準剛性を有する場合においては、その素材の特性を充分に活かしたボックス本体の保持が可能になる。
【００２４】
（７）本発明のクラッチボックスは、前記ボックス本体と前記保持体のうち、何れか一方または双方が他方と異なる色に着色され、相互の色の明暗に調子、または差がつけられている構成を備える。
【００２５】
この場合、ボックス本体と保持体を組み合わせ、ボックス本体を閉じ塞いだ形態は、相互の色の明暗に調子、または差がつけられていることにより、ボックス本体と保持体の外観に表れた表面の形状と色彩、および色の明暗によって、鮮やかな、または特徴的なコントラストを表現することが可能になり、クラッチボックスは、従来にないシンプルかつデザイン性に優れたものとなる。
【００２６】
（８）上記の目的を達成するために本発明のクラッチボックスのボックス本体を閉じる方法は、ボックス本体を蓋体で閉じる工程と、前記蓋体で閉じた状態を維持するように、相対向して設けた保持部がボックス本体の表裏両面を挟むようにして、保持体を装着する工程とを備える。
【００２７】
この方法によれば、ボックス本体が蓋体で閉じられた状態を、保持体によってそのまま維持することができる。また、ボックス本体から保持体をスライドさせるなどして取り外すだけで、ボックス本体を蓋体で閉じた状態を容易に解除することができ、その後は、蓋体によるボックス本体の開口部などの開閉が可能になる。更には、保持体をボックス本体に着脱する際、あるいは装着した状態を維持している間に、保持体に対して大きな力が作用するなどして変形してしまうようなこともなく、ボックス本体と保持体という同じ構成で繰り返し使用することが可能である。
【００２８】
なお、「ボックス本体を蓋体で閉じる」とは、ボックス本体を構成する箱体などの収容体の開口部（出し入れ口）を、蓋体の着脱、挿脱、あるいは収容体に固定されている蓋体の所定の動作（回動、スライドなど）により閉じる、という意味を含む概念である。
【発明の効果】
【００２９】
本発明は、以上の点を鑑みて創案されたものであり、クラッチボックスのボックス本体を蓋体で閉じた状態の維持、およびその解除を容易に行うことができると共に、ボックス本体を閉じ塞いだ形態がデザイン性に優れ、同じ構成で繰り返し使用することも可能なクラッチボックスおよびクラッチボックスのボックス本体を閉じる方法を提供することができる。
【図面の簡単な説明】
【００３０】
【図１】本発明に係るクラッチボックスの第１実施の形態を示す斜視図である。
【図２】図１に示すクラッチボックスの分解斜視説明図である。
【図３】図１に示すクラッチボックスの幅方向中央における縦断面図である。
【図４】クラッチボックスを構成する保持体の作製方法を示す説明図である。
【図５】保持体の他の例を示し、（ａ）は保持板が四角形で曲げ角が直角のものの斜視図、（ｂ）は保持板が四角形で曲げ角が鋭角のものの斜視図、（ｃ）は保持板が弓形で曲げ角が直角であり、曲げ部に補強があるものの斜視図である。
【図６】保持体の他の例を示し、保持板の縁部に接面縁を有するものの、（ａ）は斜視図、（ｂ）は（ａ）におけるＩ−Ｉ断面図である。
【図７】保持体の他の例を示し、保持板の縁部に接面縁を有するものの、（ａ）は斜視図、（ｂ）は（ａ）におけるＩＩ−ＩＩ断面図である。
【図８】本発明に係るクラッチボックスの第２実施の形態を示す斜視図である。
【図９】本発明に係るクラッチボックスの第３実施の形態を示す斜視図である。
【図１０】本発明に係るクラッチボックスの第４実施の形態を示す斜視図である。
【発明を実施するための形態】
【００３１】
図１ないし図１０を参照し、本発明の実施の形態を更に詳細に説明する。
クラッチボックスＢ１は、本発明の第１実施の形態である。クラッチボックスＢ１は、ボックス本体１と保持体２を備えている。以下、ボックス本体１と保持体２について、詳細に説明する。
【００３２】
（ボックス本体１）
ボックス本体１は、平面視長方形状で上部に開口部１９を有する有底箱状の箱体１０を有している。箱体１０は、適当な強度を有する紙製のブランク（本実施の形態では、厚さが０．５ｍｍ程度の薄板）を適宜形状に成形し、これを折り曲げて組み立てて形成した、いわゆる折り箱である。
【００３３】
折り箱の構造は特に限定せず、単に要所を差し込みなどによって止めて組み立てたものでもよいし、あるいは要所を接着するなどして、強度をより高めたものであってもよい。また、ボックス本体１は、少なくとも使用時に外観として露出する面（具体的には、箱体１０のうち、内底面を除く全面と、付帯体１１の全面）が「濃い茶色」に着色されている。
【００３４】
箱体１０の底部１００の短辺方向の一端側には、長方形状の蓋体１１が接続されている。蓋体１１は、適当な強度を有する紙製のブランク（本実施の形態では、厚さが１．０ｍｍ程度の薄板）を適宜形状に成形し、これを折り曲げ可能に形成したものである。蓋体１１は、箱体１０の長辺方向の全長とほぼ同じ幅に形成されており、基部側の継ぎ板１１０と先部側の蓋板１１１で構成されている。
【００３５】
継ぎ板１１０は、箱体１０の底部１００に対して折り曲げ自在であり、蓋体１１の長さ方向において、箱体１０の高さより若干長くなるように四角形状に形成されている。そして、蓋体１１の長さ方向に継ぎ板１１０とつながっている蓋板１１１は、継ぎ板１１０に対し折り曲げ自在であり、その形状は箱体１０の開口部１９を閉じ塞ぐことができるように、箱体１０の上部の開口部１９側の外形の縁より若干大きい長方形状に形成されている。
【００３６】
上記構造のボックス本体１によれば、継ぎ板１１０を箱体１０の側面（符号省略）に沿わせ、更に蓋板１１１を箱体１０の上面１０１に当接させることにより、蓋板１１１によって箱体１０を閉じることができる（言い換えれば、箱体１０の開口部１９を閉じ塞ぐことができる）。
【００３７】
また、ボックス本体１は、蓋体１１の蓋板１１１を箱体１０に対し、係止、係合、あるいは固定するための手段を有していないが、例えば差込片と差し込み穴、ホックと受金具、面ファスナをはじめとする接着具など、何等かの着脱するための手段を設けることもできる。
【００３８】
なお、ボックス本体１は、上記構造に限定するものではなく、箱体を閉じることができる蓋体を有する構造であれば、後で説明するような、既存の様々な構造の箱を採用することができる。その素材も、各種紙に限定されるものではなく、木、竹、合成紙、またはそれらに類する素材、合成樹脂、軽量な金属、あるいはそれらを複合したものを採用してもよい。
【００３９】
また、紙であっても、防水機能（撥水機能）を有するもの、表面に滑り止め機能を有するもの、あるいは各種加工により強度を高めたものなど、様々な機能性を付与したものを採用することもできる。
【００４０】
（保持体２）
保持体２は、上記ボックス本体１に装着して、箱体１０を蓋体１１で閉じた状態を維持するものである。保持体２は、適当な強度および撓み性または準剛性を有する紙製のブランク（本実施の形態では、厚さが１．０ｍｍ程度の薄板）を適宜大きさの長方形状に成形し、これを折り曲げて形成したものである。なお、保持体２は、その全体が、相互の色の明暗に調子、または差をつけるために、上記ボックス本体１とは異なる明度のより高い「赤色」に着色されている。
【００４１】
保持体２は、本実施の形態では、「OKACカード（王子エフテックス株式会社製）」を採用している。この紙は、セルロースを主成分とし、着色料、紙力増強剤、サイズ剤（液体の浸透に抵抗を付与する耐水性向上剤など）、定着剤などを含むものであるが、保持体２に使用する材料の組成はこれに限定するものではなく、適宜調整が可能である。また、上記に限らず、他の様々な紙素材の採用も可能である。
【００４２】
保持体２は、上記蓋体１１の幅とほぼ同じ幅（長辺側の長さで）を有する長方形状の接続部である接続板２７を有している。接続板２７の両長辺部には、五角形（短いホームベース状）の保持部である保持板２１、２２が同じ方向に、接続板２７とほぼ直角（具体的には、相対向する内角が直角よりやや角度が小さい鋭角：本実施の形態では８９°程度）になるように形成されている。したがって、保持板２１、２２も互いにほぼ平行となっている。
【００４３】
なお、後で説明するように、保持板２１、２２によるボックス本体１を保持する保持力に支障がなければ、保持板２１、２２の接続板２７に対する角度を直角に設定することもできる。また、保持体２の幅は、蓋体１１の幅に必ずしも合わせる必要はなく、蓋体１１の幅より短くしてもよく、適宜設定が可能である。
【００４４】
保持板の形状は、上記五角形状に限定するものではなく、例えば四角形状、三角形状などの多角形状、円形状、半円形状、楕円形状、あるいは各種異形状など、様々な形状を採用することができる。また、保持板を接続する部分の形状（構造）は、上記接続板２７のような板体に限定せず、金属などの各種材料で形成された各種構造の連結具などでもよく、充分な強度を有するものであれば、その形状、および構造を特に限定するものではない。
【００４５】
接着剤２８は、本実施の形態では、「ボンド SP21ON（コニシ株式会社製）」を採用している。「ボンド SP21ON」は、固化後も、ある程度の、または所要程度の変形性と復元性、または伸縮性を有する特性があり、これが保持体２の保持板２１、２２の素材による撓み性（準剛性）と相まって、保持板２１、２２への保持力の付与、および保持力の維持に寄与する。
【００４６】
なお、接着剤は、上記に限定するものではなく、保持板２１、２２の接続板２７に対する角度や、自身の撓み性などが適正であれば、必ずしも、固化後に変形性と復元性、または伸縮性を有するものでなくてもよく、そのような特性を有していない硬質になる接着剤を採用することもできる。
【００４７】
本実施の形態において、上記保持体２の作製方法は、次のとおりである。
図２、図３、および図４を参照する。
【００４８】
（１）各辺の長さを適宜設定した紙製の六角形のブランク（上記のように、厚さが１．０ｍｍ程度の薄板：符号省略）を用意し、両側に五角形（短いホームベース状）の保持板２１、２２が形成されるように、相対向する二辺２３、２４間に、所要間隔で平行な断面形状が略Ｖ字状の溝部である切込溝２５、２６を形成する。また、保持板２１、２２の間には、長方形状の接続板２７が形成される。これにより、上記のような加工が施された基シート２０が形成される。
【００４９】
（２）図４（ａ）に示すように、全体を平坦にした状態の基シート２０の切込溝２５、２６の底部の一部、あるいは全体に、適量の接着剤２８を入れる。接着剤２８は、切込溝２５、２６の長さ方向に全長にわたり入れてもよいし、断続的に入れてもよい。
なお、保持体２を形成する紙素材は、若干の浸潤性も有しているので、接着剤２８を入れることにより、切込溝２５、２６の部分の表面から、接着剤２８が浸潤し、固化後は、折り曲げた部分（角部およびその近傍）に充分な強度を付与することができる。
【００５０】
（３）図４（ｂ）に示すように、保持板２１、２２を切込溝２５、２６が形成されている面側へ折り曲げ、保持板２１、２２が接続板２７に対して直角よりやや角度が小さい鋭角になるようにする。本実施の形態では、切込溝２５、２６のＶ字の角度が、そうなるように、あらかじめ設定されている。
【００５１】
なお、本実施の形態では、蓋体１１を閉じた状態のボックス本体１の厚さ（表裏両面の間隔）をＬ１（図３参照）とし、保持体２の各折り曲げ部の内面の最大間隔をＬ２（図４（ｂ）参照）とし、保持板２１、２２の先端の内面の間隔をＬ３（図４（ｂ）参照）としたとき、Ｌ２＝Ｌ１＋(0〜1mm)であり、Ｌ３＝Ｌ１−(0〜1mm)となるように設定されている。上記(0〜1mm)の数値は、これに限定されるものではなく、ボックス本体１、および保持体２の大きさ、あるいは材料の特性などの違いによって、それらに好適に対応できるように適宜調整することができる。
【００５２】
つまり、保持体２をボックス本体１に装着したとき、上記Ｌ２を示す側では、保持板２１、２２の内面とボックス本体１の表裏両面（符号省略）との間に若干の隙間が設けられるので、保持板２１、２２の先端がボックス本体１の表裏両面に接したとき、保持板２１、２２に変形する余地が生じ、保持板２１、２２自身の素材的な特性、すなわち撓み性または準剛性が利きやすくなり、クラッチボックスＢ１への保持力の付与、およびその維持に充分に寄与できる。
【００５３】
（作用）
図１、図２を参照して、クラッチボックスＢ１の作用を説明する。
クラッチボックスＢ１を、例えば衣料品などの商品の包装体として使用する場合、ボックス本体１の蓋体１１を開けて、ボックス本体１の箱体１０に商品（内容物）を収容した後、蓋体１１を閉じる。
【００５４】
そして、保持板２１、２２をボックス本体１の表裏両面（箱体１０の底部１００の下面と蓋板１１１の上面）に当て、保持板２１、２２でそれを挟むようにして、保持体２をボックス本体１に装着する。この作業は容易に行うことができ、これにより、ボックス本体１が蓋体１１で閉じられた状態を、そのまま維持することができる。
【００５５】
このとき、上記したように、保持体２をボックス本体１に装着することで、上記Ｌ２を示す側では、保持板２１、２２の内面とボックス本体１の表裏両面（符号省略）との間に若干の隙間が設けられることになるので、保持板２１、２２自身の撓み性または準剛性が利きやすくなり、クラッチボックスＢ１は、適正な保持力を発揮できるようになる。また、これにより、撓み性または準剛性が利かずに保持力が弱くなったり、ボックス本体１と保持体２の一方、または双方が、強すぎる保持力で傷付いてしまったりすることもない。
【００５６】
また、ボックス本体１から保持体２をスライドさせて取り外すだけで、ボックス本体１を蓋体１１で閉じた状態を容易に解除することができる。その後は、蓋体１１によるボックス本体１の箱体１０の開口部１９などの開閉が可能になる。
【００５７】
更には、保持体２をボックス本体１に着脱する際、あるいは装着した状態を維持している間に、通常の使用においては、保持体２に対して大きな力が作用するなどして変形してしまうようなこともなく、ボックス本体１と保持体２という同じ構成で繰り返し使用することが可能である。
【００５８】
なお、クラッチボックスＢ１には、ボックス本体１と保持体２が紙製であることによって、触れたときの肌触りがよく、温もりがあり、あるいは見た目においても素朴で癒やされる、というような、紙の独特の質感が付与される。
【００５９】
また、ボックス本体１と保持体２を組み合わせ、ボックス本体１を閉じ塞いだ形態は、相互の色を「茶色」と「赤色」に違えて、色の明暗に調子、または差がつけられていることにより、ボックス本体１と保持体２の外観に表れた表面の形状と色彩、および色の明暗によって、鮮やかな、または特徴的なコントラストを表現することが可能になり、クラッチボックスＢ１は、従来にないシンプルかつデザイン性に優れたクラッチボックスとなる。
【００６０】
保持体２の作製において使用されている接着剤２８、すなわち接続板２７に対する保持板２１、２２の角度を所要角度（ほぼ直角）で維持している接着剤２８が、固化後にも硬質とはならず、所要程度の変形性と復元性、または伸縮性を有する。
【００６１】
したがって、ボックス本体１に対し保持体２の着脱を繰り返しても、保持板２１、２２の基部側に、変形を繰り返すことによる疲労で傷みが生じることを防止することができる。また、保持板２１、２２が撓み性または準剛性を有しているので、その特性とも相まって、ボックス本体１の適正な保持力での保持、およびその維持ができる。
【００６２】
図５を参照し、保持体の他の例を説明する。
図５（ａ）に示した保持体２ａは、保持板２１ａ、２２ａが四角形で、接続板２７ａに対する保持板２１ａ、２２ａの曲げ角が、ほぼ直角（相対向する内角がやや鋭角）のものである。また、保持板２１ａ、２２ａの折り曲げ部の形成の仕方は、上記保持体２の保持板２１、２２と同様である。
【００６３】
保持体２ａの使用方法、および作用は、上記保持体２とほぼ同様であり、更に保持板２１ａ、２２ａの面積が広い分だけ、ボックス本体の表裏両面に対し接触する面積も広くなり、より確かな保持力を有する利点がある。
【００６４】
図５（ｂ）に示した保持体２ｂは、保持板２１ｂ、２２ｂが四角形で、接続板２７ｂに対する保持板２１ｂ、２２ｂの曲げ角が、８０°程度（相対向する内角）のものである。また、保持板２１ｂ、２２ｂの折り曲げ部の形成の仕方は、鋭角の角度をより尖鋭にしてはいるが、上記保持体２の保持板２１、２２と同様である。
【００６５】
保持体２ｂの使用方法、および作用は、上記保持体２とほぼ同様であり、更に保持板２１ｂ、２２ｂの鋭角の角度がより尖鋭な分だけ、ボックス本体の表裏両面に対し押し付ける力が強くなり、より大きく確かな保持力を有する利点がある。
【００６６】
図５（ｃ）に示した保持体２ｃは、保持板２１ｃ、２２ｃの外形がいわゆる弓形で、接続板２７ｃに対する保持板２１ｃ、２２ｃの曲げ角がほぼ直角（相対向する内角がやや鋭角）であり、曲げ部の外面側に補強材２９、２９ａが接着剤で接着されているものである。なお、保持板２１ｃ、２２ｃの折り曲げ部の形成の仕方は、上記保持体２の保持板２１、２２と同様である。
【００６７】
また、補強材２９、２９ａは、表面に光沢のある金属製で、断面Ｌ字状のいわゆるアングル（山形鋼）形状である。上記構造によれば、作製時において、切込溝に接着剤を入れて固化させる必要はなく、保持板２１ｃ、２２ｃを上記角度に設定した後、その角度を維持するように、折り曲げ部の外面側に角部を合わせて補強材２９、２９ａを接着すればよい。
【００６８】
これにより、保持板２１ｃ、２２ｃの角度が所要の角度に設定された保持体を容易に作製することができる。また、補強材２９、２９ａの接着によって、接着面積がより広くなり、保持板２１ｃ、２２ｃの角度を所定の角度に維持する充分な強度が付与できる。
【００６９】
保持体２ｃの使用方法、および作用は、上記保持体２とほぼ同様であり、更に保持板２１ｃ、２２ｃの角度を所定の角度に維持するための強度がより強い分だけ、より確かな保持力を有する利点がある。また、保持板２１ｃ、２２ｃが適正な撓み性または準剛性を有するので、その素材の特性を充分に活かしたボックス本体の保持が可能になる。
【００７０】
図６を参照し、保持体の他の例を説明する。
図６に示した保持体２ｄは、保持板２１ｄ、２２ｄが四角形で、接続板２７ｄに対する保持板２１ｄ、２２ｄの曲げ角が、ほぼ直角（相対向する内角がやや鋭角）のものである。保持板２１ｄ、２２ｄは、基板２１０、２２０の縁部の全周に厚み方向に斜めに立ち上げて接面縁２１１、２２１を形成したものである。また、保持板２１ｄ、２２ｄの折り曲げ部の形成の仕方は、上記保持体２の保持板２１、２２と同様である。
【００７１】
保持体２ｄの使用方法、および作用は、上記保持体２とほぼ同様であり、更に斜めに立ち上げた接面縁２１１、２２１が保持板２１ｄ、２２ｄの全周にわたり設けられ、しかも圧力が接面縁２１１、２２１の接触面に集中する分だけ、ボックス本体の表裏両面に対して強い圧力で接触するので、より確かな保持力を有する利点がある。
【００７２】
図７を参照し、保持体の他の例を説明する。
図７に示した保持体２ｅは、保持板２１ｅ、２２ｅが四角形で、接続板２７ｅに対する保持板２１ｅ、２２ｅの曲げ角が、ほぼ直角（相対向する内角がやや鋭角）のものである。保持板２１ｅ、２２ｅの内面側には、多数の部分球状の突起２１２、２２２が等間隔で形成されている。また、保持板２１ｅ、２２ｅの折り曲げ部の形成の仕方は、上記保持体２の保持板２１、２２と同様である。
【００７３】
保持体２ｅの使用方法、および作用は、上記保持体２とほぼ同様であり、更に保持板２１ｅ、２２ｅの内面側に部分球状の突起２１２、２２２が多数設けられ、しかも圧力が突起２１２、２２２の接触面に集中する分だけ、ボックス本体の表裏両面に対して強い圧力で接触するので、より確かな保持力を有する利点がある。
【００７４】
図８を参照し、クラッチボックスの第２実施の形態を説明する。
図８に示したクラッチボックスＢ２は、箱体１０ｆ、蓋体１１ｆ、および保持体２ｆで構成されている。箱体１０ｆと蓋体１１ｆは、ボックス本体１ｆを構成する。保持体２ｆは、継ぎ板２７ｆ、保持板２１ｆ、２２ｆで構成され、上記保持体２と同じ構造であり、「白色」に着色されている。
【００７５】
箱体１０ｆは、上記箱体１０とほぼ同様の構造を有する平面視長方形状の有底箱状の折り箱であり、内底面を除く全面は「濃い茶色」に着色されている。また、蓋体１１ｆは、長方形状の継ぎ板１１０ｆと蓋板１１１ｆ、１１２ｆで構成されており、各板は境界部分で折り曲げができる。
【００７６】
継ぎ板１１０ｆの短辺側の長さは、箱体１０ｆの厚さ（上面１０１ｆと底部１００の下面の間隔）よりやや長く、蓋板１１１ｆ、１１２ｆの形状は、開口部１９ｆを閉じることができるように箱体１０ｆの上部外形とほぼ同じ大きさに形成されている。
【００７７】
クラッチボックスＢ２の組合せは、まず蓋体１１ｆを蓋板１１１ｆ、１１２ｆの内面が、箱体１０ｆの上面１０１ｆと底部１００の下面に接するようにして組み合わせ、蓋板１１１ｆ、１１２ｆの先部側から、蓋板１１１ｆ、１１２ｆの上面を保持板２１ｆ、２２ｆで挟むようにして保持体２ｆを装着して行う。
【００７８】
また、クラッチボックスＢ２の作用は、箱体１０ｆと蓋体１１ｆが別体となっていて、ボックス本体１ｆが包装容器としてやや特徴的な外観を呈する点を除き、その作用は上記クラッチボックスＢ１とほぼ同様であるので、作用の内容の詳細については、クラッチボックスＢ１の作用の記載を援用し、ここでは説明を省略する。
【００７９】
図９を参照し、クラッチボックスの第３実施の形態を説明する。
図９に示したクラッチボックスＢ３は、ボックス本体１ｇ、および保持体２ｇで構成されている。ボックス本体１ｇは、箱体１０ｇと蓋体１１ｇを有している。保持体２ｇは、継ぎ板２７ｇ、保持板２１ｇ、２２ｇで構成され、上記保持体２と同じ構造であり、「黄色」に着色されている。
【００８０】
箱体１０ｇは、保持体２と同じ紙製の板材を使用して形成された平面視長方形状の有底箱状であり、収容容器として充分な強度を有している。箱体１０ｇには、一方側の側板として高さの低い側板１１６ｇを設けることにより、上部から側板１１６ｇ上部にかけて、開口部１９ｇが形成されている。そして、箱体１０ｇの他方の長辺側には、蓋体１１ｇが回動可能に接続されている。
【００８１】
蓋体１１ｇは、上記開口部１９ｇを閉じることができるように、蓋板１１３ｇの先端縁に、蓋体１１ｇと直角に塞板１１４ｇが設けられている。また、蓋板１１３ｇの内面側には、箱体１０ｇの両側板（符号省略）の上面１０１ｇの内側に係合する条部１１５ｇが設けられている。この構造によれば、蓋体１１ｇは留めシールなどを使用しないでも、開口部１９ｇを閉じた状態で簡易的に止まる。
【００８２】
そして、クラッチボックスＢ３の組合せは、まずボックス本体１ｇの蓋体１１ｇで開口部１９ｇを閉じ、蓋体１１ｇの先部側から、蓋体１１ｇと箱体１０ｇの底部１００ｇを保持板２１ｇ、２２ｇで挟むようにして保持体２ｇを装着して行う。
【００８３】
また、クラッチボックスＢ３の作用は、箱体１０ｇと蓋体１１ｇが一体となっていて、ボックス本体１ｇが包装容器として充分に強固に作られている点を除き、その作用は上記クラッチボックスＢ１とほぼ同様であるので、作用の内容の詳細については、クラッチボックスＢ１の作用の記載を援用し、ここでは説明を省略する。
【００８４】
図１０を参照し、クラッチボックスの第４実施の形態を説明する。
図１０に示したクラッチボックスＢ４は、ボックス本体１ｈ、および保持体２ｈで構成されている。ボックス本体１ｈは、箱体１０ｈと蓋体１４ｈ、１５ｈを有している。保持体２ｈは、継ぎ板２７ｈ、保持板２１ｈ、２２ｈで構成され、上記保持体２と同じ構造であり、「薄い青色」に着色されている。
【００８５】
箱体１０ｈは、保持体２と同じ紙製の板材を使用して形成された平面視長方形状の有底箱状であり、収容容器として充分な強度を有している。箱体１０ｈの上部には開口部１９ｈが形成されている。そして、箱体１０ｈの底部の一方の長辺側には、蓋体１４ｈが回動可能に接続されており、他方の長辺側には、蓋体１５ｈが回動可能に接続されている。
【００８６】
蓋体１４ｈは、箱体１０ｈの側板の高さよりやや長い接続板１４０ｈを基部側に有し、その先端に上記開口部１９ｈを閉じる蓋板１４１ｈが回動可能に設けられている構造である。また、蓋体１５ｈは、箱体１０ｈの側板の高さよりやや長い接続板１５０ｈを基部側に有し、その先端に、蓋体１４ｈ、１５ｈを閉じたときに、蓋板１４１ｈの下に敷かれる長さが短い敷板１５１ｈが回動可能に設けられている構造である。
【００８７】
そして、クラッチボックスＢ４の組合せは、まずボックス本体１ｈの蓋体１４ｈ、１５ｈを蓋体１５ｈ、蓋体１４ｈの順で重ねて箱体１０ｈの上部で開口部１９ｈを閉じ、蓋体１４ｈの先部側から、蓋体１４ｈと箱体１０ｈの底部１００ｈを保持板２１ｈ、２２ｈで挟むようにして保持体２ｈを装着して行う。
【００８８】
また、クラッチボックスＢ４の作用は、蓋体１４ｈと蓋体１５ｈが一部重なるようにして閉じられ、箱体１０ｈをより確かに閉じることが可能な点を除き、その作用は上記クラッチボックスＢ１とほぼ同様であるので、作用の内容の詳細については、クラッチボックスＢ１の作用の記載を援用し、ここでは説明を省略する。
【００８９】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形が可能であるということは言うまでもない。
【符号の説明】
【００９０】
Ｂ１  クラッチボックス
１  ボックス本体
１０  箱体
１００  底部
１０１  上面
１１  蓋体
１１０  継ぎ板
１１１  蓋板
１９  開口部
２  保持体
２０  基シート
２１、２２  保持板
２３、２４  辺
２５、２６  切込溝
２７  接続板
２ａ  保持体
２１ａ、２２ａ  保持板
２７ａ  接続板
２ｂ  保持体
２１ｂ、２２ｂ  保持板
２７ｂ  接続板
２ｃ  保持体
２１ｃ、２２ｃ  保持板
２７ｃ  接続板
２９、２９ａ  補強材
２ｄ  保持体
２１ｄ、２２ｄ  保持板
２７ｄ  接続板
２１０、２２０  基板
２１１、２２１  接面縁
２ｅ  保持体
２１ｅ、２２ｅ  保持板
２１２、２２２  突起
２７ｅ  接続板
Ｂ２  クラッチボックス
１ｆ  ボックス本体
１０ｆ  箱体
１１ｆ  蓋体
１１０ｆ  継ぎ板
１１１ｆ、１１２ｆ  蓋板
１９ｆ  開口部
２ｆ  保持体
２１ｆ、２２ｆ  保持板
２７ｆ  継ぎ板
Ｂ３  クラッチボックス
１ｇ  ボックス本体
１０ｇ  箱体
１１ｇ  蓋体
１１３ｇ  蓋板
１１４ｇ  塞板
１０１ｇ  上面
１１５ｇ  条部
１１６ｇ  側板
１９ｇ  開口部
２ｇ  保持体
２１ｇ、２２ｇ  保持板
２７ｇ  継ぎ板
Ｂ４  クラッチボックス
１ｈ  ボックス本体
２ｈ  保持体
１０ｈ  箱体
１４ｈ、１５ｈ  蓋体
１４０ｈ  接続板
１４１ｈ  蓋板
１５０ｈ  接続板
１５１ｈ  敷板
２１ｈ、２２ｈ  保持板
２７ｈ  継ぎ板
１９ｈ  開口部
【図１】
2017047911.tif 000003
【図２】
2017047911.tif 000004
【図３】
2017047911.tif 000005
【図４】
2017047911.tif 000006
【図５】
2017047911.tif 000007
【図６】
2017047911.tif 000008
【図７】
2017047911.tif 000009
【図８】
2017047911.tif 000010
【図９】
2017047911.tif 000011
【図１０】
2017047911.tif 000012